(57)【特許請求の範囲】
【請求項１】
複数の異なる放送モードのデジタル放送を受信可能なモバイル端末において、
第１放送プログラム情報及びこの第１放送プログラム情報とは異なる構造の第２放送プログラム情報を受信し、受信した前記第１放送プログラム情報及び前記第２放送プログラム情報を各放送モードに対応した構造のままメモリに保存するステップと、
セマンティクス（semantics）に基づいて前記第１放送プログラム情報及び前記第２放送プログラム情報のメタデータをマッピングするメタデータインターフェースを、モバイルネットワーク、無線ネットワーク及び放送ネットワークの少なくとも一つを通じて受信して前記メモリに保存するステップと、
ユーザが検索機能を利用した場合に、前記メタデータインターフェースを利用して前記第１放送プログラム情報と前記第２放送プログラム情報との両方から同一のセマンティクスを有する情報を抽出し、抽出結果をユーザに認識可能な形態で出力するステップと、
を含むことを特徴とするモバイル端末におけるデジタル放送サービス情報の管理方法。
【請求項２】
前記第１放送プログラム情報及び前記第２放送プログラム情報は、ＥＰＧ（electronic program guide）情報を含むことを特徴とする請求項１に記載のモバイル端末におけるデジタル放送サービス情報の管理方法。
【請求項３】
前記抽出結果を出力するステップは、ＥＰＧの閲覧要請があった場合に前記ＥＰＧ情報を単一のテーブルとして表示するステップを含むことを特徴とする請求項２に記載のモバイル端末におけるデジタル放送サービス情報の管理方法。
【請求項４】
前記抽出結果を出力するステップは、可聴信号を生成するステップを含むことを特徴とする請求項１に記載のモバイル端末におけるデジタル放送サービス情報の管理方法。
【請求項５】
複数の異なる放送モードのデジタル放送を受信可能なモバイル端末において、
第１放送プログラム情報及びこの第１放送プログラム情報とは異なる構造の第２放送プログラム情報を受信し、受信した前記第１放送プログラム情報及び前記第２放送プログラム情報を各放送モードに対応した構造のままメモリに保存するステップと、
セマンティクス（semantics）に基づいて前記第１放送プログラム情報及び前記第２放送プログラム情報のメタデータをマッピングするメタデータインターフェースを、モバイルネットワーク、無線ネットワーク及び放送ネットワークの少なくとも一つを通じて受信して前記メモリに保存するステップと、
特定の放送プログラムが選択された場合に、前記メタデータインターフェースを利用して前記第１放送プログラム情報及び前記第２放送プログラム情報との両方から前記選択された放送プログラムと同一のセマンティクスを有する情報を抽出し、前記選択された放送プログラムと同一のコンテンツが異なる放送モードで受信できるか否かを判定するステップと、
前記選択された放送プログラムが異なる放送モードで受信できる場合に、それぞれのデジタル放送信号を受信してその受信レベルを比較するステップと、
前記比較結果に基づき、いずれかの放送モードに受信モードを設定するステップと、
を含むことを特徴とするモバイル端末におけるデジタル放送サービス情報の管理方法。
【請求項６】
前記受信モードを設定するステップは、前記受信レベルが最も高いデジタル放送信号の放送モードに受信モードを設定することを特徴とする請求項５に記載のモバイル端末におけるデジタル放送サービス情報の管理方法。
【請求項７】
前記受信モードを設定するステップは、前記比較結果に基づき自動的に受信モードを設定することを特徴とする請求項５に記載のモバイル端末におけるデジタル放送サービス情報の管理方法。
【請求項８】
前記第１放送プログラム情報及び第２放送プログラム情報は、地上デジタルマルチメディア方法、衛星デジタルマルチメディア放送、メディアフロー及びＤＶＢ−Ｈデジタル放送の少なくとも一つに関するものであることを特徴とする請求項１又は請求項５に記載のモバイル端末におけるデジタル放送サービス情報の管理方法。
【請求項９】
複数の異なる放送モードのデジタル放送を受信可能なモバイル端末であって、
第１放送プログラム情報及びこの第１放送プログラム情報とは異なる構造の第２放送プログラム情報を受信するデジタル放送受信ユニットと、
受信した前記第１放送プログラム情報及び前記第２放送プログラム情報と、セマンティクス（semantics）に基づいて前記第１放送プログラム情報及び前記第２放送プログラム情報のメタデータをマッピングするメタデータインターフェースと、を保存するメモリと、
情報を表示する表示ユニットと、
前記第１放送プログラム情報及び前記第２放送プログラム情報を各放送モードに対応した構造のまま前記メモリに保存すると共に、ユーザが検索機能を利用した場合に、前記メタデータインターフェースを利用して前記第１放送プログラム情報と前記第２放送プログラム情報との両方から同一のセマンティクスを有する情報を抽出し、抽出結果をユーザに認識可能な形態で前記表示ユニットに表示させるように制御する制御ユニットと、
を含んで構成され、
前記メタデータインターフェースは、モバイルネットワーク、無線インターネット及び放送ネットワークの少なくとも一つを通じて受信されることを特徴とするモバイル端末。
【請求項１０】
前記第１放送プログラム情報及び前記第２放送プログラム情報は、ＥＰＧ（electronic program guide）情報を含むことを特徴とする請求項９に記載のモバイル端末。
【請求項１１】
前記制御ユニットは、ＥＰＧの閲覧要請があった場合に、前記ＥＰＧ情報を単一のテーブルとして前記表示ユニットに表示させることを特徴とする請求項９に記載のモバイル端末。
【請求項１２】
前記制御ユニットは、前記抽出結果の出力時に可聴信号を生成することを特徴とする請求項９に記載のモバイル端末。
【請求項１３】
複数の異なる放送モードのデジタル放送を受信可能なモバイル端末であって、
第１放送プログラム情報及びこの第１放送プログラム情報とは異なる構造の第２放送プログラム情報を受信するデジタル放送受信ユニットと、
受信した前記第１放送プログラム情報及び前記第２放送プログラム情報と、セマンティクス（semantics）に基づいて前記第１放送プログラム情報及び前記第２放送プログラム情報のメタデータをマッピングするメタデータインターフェースと、を保存するメモリと、
前記第１放送プログラム情報及び前記第２放送プログラム情報を各放送モードに対応した構造のまま前記メモリに保存すると共に、特定の放送プログラムが選択された場合に、前記メタデータインターフェースを利用して前記第１放送プログラム情報と前記第２放送プログラム情報との両方から前記選択された放送プログラムと同一のセマンティクスを有する情報を抽出し、前記選択された放送プログラムと同一のコンテンツが異なる放送モードで受信できるか否かを判定し、異なる放送モードで受信できる場合には、それぞれのデジタル放送信号を受信してその受信レベルを比較し、比較結果に基づいていずれかの放送モードに受信モードを設定する制御ユニットと、
を含んで構成され、
前記メタデータインターフェースは、モバイルネットワーク、無線インターネット及び放送ネットワークの少なくとも一つを通じて受信されることを特徴とするモバイル端末。
【請求項１４】
前記制御ユニットは、前記受信レベルが最も高いデジタル放送信号の放送モードに受信モードを設定することを特徴とする請求項１３に記載のモバイル端末。
【請求項１５】
前記制御ユニットは、前記比較結果に基づき自動的に受信モードを設定することを特徴とする請求項１３に記載のモバイル端末。
【請求項１６】
前記第１放送プログラム情報及び前記第２放送プログラム情報は、地上デジタルマルチメディア放送、衛星デジタルマルチメディア放送、メディアフロー及びＤＶＢ−Ｈデジタル放送の少なくとも一つに関するものであることを特徴とする請求項９又は請求項１３に記載のモバイル端末。
【発明の詳細な説明】
【技術分野】
【０００１】
本発明は、複数の異なる放送モードのデジタル放送を受信可能なモバイル端末及びモバイル端末におけるデジタル放送サービス情報の管理方法に関する。
【背景技術】
【０００２】
放送プログラムのスケジュール情報は、代表的なデジタルマルチメディアコンテンツとしてデジタル放送プログラムを視聴するために必要なものとなっている。例えば、電子番組ガイド（ＥＰＧ）と呼ばれるデジタル放送サービスもその一つである。
【０００３】
ＥＰＧは、デジタル放送データのチャンネル、スケジュール及びタイトルを示すサービス情報（ＳＩ：Ｓｅｒｖｉｃｅ Ｉｎｆｏｒｍａｔｉｏｎ）である。
従来のＥＰＧは、放送会社や放送タイプ（放送モード）によって様々であり、また、従来のＥＰＧ提供方法も、放送端末におけるＥＰＧ処理（EPG process）や表示エンジン（representation engine）によって様々であった。このため、異なる放送モードのＥＰＧ情報を利用するには制限がある。
【０００４】
ＥＰＧ情報の構造や伝送方法は、放送会社や放送サービスによって様々である。例えば、ＥＰＧ情報は、地上デジタルマルチメディア放送（ＴＤＭＢ)においては、チャンネルでなく、モバイル通信サービスのプロバイダーのネットワークを通じて伝送される一方、衛星デジタルマルチメディア放送（ＳＤＭＢ)においては、放送チャンネルを通じて伝送される場合がある。
今のところ、各放送モードに対しては異なる受信機が必要であり、様々な放送モードをサポートできる端末を開発中である。
【０００５】
モバイル端末において、デマルチプレクサは、セクションに従って複数のチューナー／復調器からの放送信号ストリーム出力を分離（分配）し、続いて、ＳＩ情報を抽出する。
【０００６】
コントローラは、同様の方法によりテーブルを解析し、メモリに保存される統合ＥＰＧデータベースを構築する。そして、この統合ＥＰＧデータベースが、ＯＳＤ（Ｏｎ Ｓｃｒｅｅｎ Ｄｉｓｐｌａｙ）信号としてユーザに提供される。
【発明の開示】
【発明が解決しようとする課題】
【０００７】
ところで、放送会社や放送モードに応じたＥＰＧを統合データベースに保存する従来の方法では、異なる構造のＥＰＧデータを統合及び保存するために放送会社から提供されるＥＰＧデータの構造を変化させる必要があった。
現在、放送会社の放送サービス環境に適したＥＰＧが提供されている。
モバイル端末は、放送システムに対応する一つのＥＰＧ使用環境を提供することができるが、統合データベースで異なる構造を有するＥＰＧデータを保存するためにはＥＰＧデータの保存構造を変更しなければならない。このため、従来の方法では、統合データベースは、構造が変更されたＥＰＧデータを含むことになり、例えば、ＥＰＧのメタデータやセマンティクス(Ｓｅｍａｎｔｉｃｓ)が変更された場合には、これに容易に対応することができない、という問題がある。
【０００８】
本発明は、上述したような従来技術の問題を解決するためになされたものであり、その目的は、異なる構造を有するデジタル放送のサービス情報（例えば、放送プログラム情報）をその構造を変更することなく保存して、容易に統合し検索することのできるモバイル端末及びモバイル端末におけるデジタル放送サービス情報の管理方法を提供することにある。
【０００９】
また、本発明の他の目的は、異なる構造を有するデジタル放送のサービス情報を、その構造を変更することなく、単一の情報として容易に利用することができるモバイル端末及びモバイル端末におけるデジタル放送サービス情報の管理方法を提供することにある。
【００１０】
本発明のさらに他の目的は、デジタル放送のサービス情報のメタデータ等が変更された場合にも容易に対応することができるモバイル端末及びモバイル端末におけるデジタル放送サービス情報の管理方法を提供することにある。
【課題を解決するための手段】
【００１１】
上記目的を達成するため、本発明の第１の態様によると、モバイル端末におけるデジタル放送サービス情報の管理方法が提供される。この管理方法は、複数の異なる放送モードのデジタル放送を受信可能なモバイル端末において、第１放送プログラム情報及びこの第１放送プログラム情報とは異なる構造の第２放送プログラム情報を受信し、受信した前記第１放送プログラム情報及び前記第２放送プログラム情報を各放送モードに対応した構造のままメモリに保存するステップと、セマンティクス（semantics）に基づいて前記第１放送プログラム情報及び前記第２放送プログラム情報のメタデータをマッピングするメタデータインターフェースを、モバイルネットワーク、無線ネットワーク及び放送ネットワークの少なくとも一つを通じて受信して前記メモリに保存するステップと、ユーザが検索機能を利用した場合に、前記メタデータインターフェースを利用して前記第１放送プログラム情報と前記第２放送プログラム情報との両方から同一のセマンティクスを有する情報を抽出し、抽出結果をユーザに認識可能な形態で出力するステップと、を含んで構成される。
【００１２】
ここで、前記第１の情報は、ＥＰＧ（electronic program guide）情報を含む。
また、前記抽出結果を出力するステップは、例えば、ＥＰＧの閲覧要請があると、前記ＥＰＧ情報を単一のテーブルとして表示する。さらに、前記抽出結果を出力するステップは、可聴信号を生成するステップを含むようにしてもよい。
【００１３】
また、本発明の第２の態様によると、モバイル端末におけるデジタル放送サービス情報の管理方法が提供される。この管理方法は、複数の異なる放送モードのデジタル放送を受信可能なモバイル端末において、第１放送プログラム情報及びこの第１放送プログラム情報とは異なる構造の第２放送プログラム情報を受信し、受信した前記第１放送プログラム情報及び前記第２放送プログラム情報を各放送モードに対応した構造のままメモリに保存するステップと、セマンティクス（semantics）に基づいて前記第１放送プログラム情報及び前記第２放送プログラム情報のメタデータをマッピングするメタデータインターフェースを、モバイルネットワーク、無線ネットワーク及び放送ネットワークの少なくとも一つを通じて受信して前記メモリに保存するステップと、特定の放送プログラムが選択された場合に、前記メタデータインターフェースを利用して前記第１放送プログラム情報及び前記第２放送プログラム情報との両方から前記選択された放送プログラムと同一のセマンティクスを有する情報を抽出し、前記選択された放送プログラムと同一のコンテンツが異なる放送モードで受信できるか否かを判定するステップと、前記選択された放送プログラムが異なる放送モードで受信できる場合に、それぞれのデジタル放送信号を受信してその受信レベルを比較するステップと、前記比較結果に基づき、いずれかの放送モードに受信モードを設定するステップと、を含んで構成される。
【００１４】
ここで、前記受信モードを設定するステップは、前記受信レベルが最も高いデジタル放送信号の放送モードに受信モードを設定する。また、かかる受信モードの設定は、基本的には、自動的に（すなわち、ユーザによる操作を必要とすることなく）行われる。
【００１５】
前記第１、第２の態様において、前記第１の情報は、地上デジタルマルチメディア放送、衛星デジタルマルチメディア放送、メディアフロー及びＤＶＢ−Ｈ(ｄｉｇｉｔａｌ ｖｉｄｅｏ ｂｒｏａｄｃａｓｔｉｎｇ−ｈａｎｄｈｅｌｄ)デジタル放送の少なくとも一つに関するものであり、前記第２の情報は、モバイルネットワーク、無線インターネット及び放送ネットワークの少なくとも一つを通じて受信される。好ましくは、第１の情報は放送プログラム情報であり、第２の情報はメタデータインターフェースである。
【００１６】
また、本発明の第３の態様によると、複数の異なる放送モードのデジタル放送を受信可能なモバイル端末が提供される。このモバイル端末は、第１放送プログラム情報及びこの第１放送プログラム情報とは異なる構造の第２放送プログラム情報を受信するデジタル放送受信ユニットと、受信した前記第１放送プログラム情報及び前記第２放送プログラム情報と、セマンティクス（semantics）に基づいて前記第１放送プログラム情報及び前記第２放送プログラム情報のメタデータをマッピングするメタデータインターフェースと、を保存するメモリと、情報を表示する表示ユニットと、前記第１放送プログラム情報及び前記第２放送プログラム情報を各放送モードに対応した構造のまま前記メモリに保存すると共に、ユーザが検索機能を利用した場合に、前記メタデータインターフェースを利用して前記第１放送プログラム情報と前記第２放送プログラム情報との両方から同一のセマンティクスを有する情報を抽出し、抽出結果をユーザに認識可能な形態で前記表示ユニットに表示させるように制御する制御ユニットと、を含んで構成され、前記メタデータインターフェースは、モバイルネットワーク、無線インターネット及び放送ネットワークの少なくとも一つを通じて受信される。
【００１７】
ここで、前記第１の情報はＥＰＧ情報を含み、前記制御ユニットは、ＥＰＧの閲覧要請があると、前記ＥＰＧ情報を単一のテーブルとして前記表示ユニットに表示させる。また、前記制御ユニットは、前記抽出結果を出力するときに可聴信号を生成するようにしてもよい。
【００１８】
また、本発明の第４の態様によると、複数の異なる放送モードのデジタル放送を受信可能なモバイル端末が提供される。このモバイル端末は、第１放送プログラム情報及びこの第１放送プログラム情報とは異なる構造の第２放送プログラム情報を受信するデジタル放送受信ユニットと、受信した前記第１放送プログラム情報及び前記第２放送プログラム情報と、セマンティクス（semantics）に基づいて前記第１放送プログラム情報及び前記第２放送プログラム情報のメタデータをマッピングするメタデータインターフェースと、を保存するメモリと、前記第１放送プログラム情報及び前記第２放送プログラム情報を各放送モードに対応した構造のまま前記メモリに保存すると共に、特定の放送プログラムが選択された場合に、前記メタデータインターフェースを利用して前記第１放送プログラム情報と前記第２放送プログラム情報との両方から前記選択された放送プログラムと同一のセマンティクスを有する情報を抽出し、前記選択された放送プログラムと同一のコンテンツが異なる放送モードで受信できるか否かを判定し、異なる放送モードで受信できる場合には、それぞれのデジタル放送信号を受信してその受信レベルを比較し、比較結果に基づいていずれかの放送モードに受信モードを設定する制御ユニットと、を含んで構成され、前記メタデータインターフェースは、モバイルネットワーク、無線インターネット及び放送ネットワークの少なくとも一つを通じて受信される。
【００１９】
ここで、前記制御ユニットは、前記受信レベルが最も高いデジタル放送信号の放送モードに受信モードを設定する。なお、かかる受信モードの設定は、基本的には、自動的に行われる。
【００２０】
前記第３、第４の態様において、前記第１の情報は、地上デジタルマルチメディア放送、衛星デジタルマルチメディア放送、メディアフロー及びＤＶＢ−Ｈデジタル放送の少なくとも一つに関するものであり、前記第２の情報は、モバイルネットワーク、無線インターネット及び放送ネットワークの少なくとも一つを通じて受信される。好ましくは、第１の情報は放送プログラム情報であり、第２の情報はメタデータインターフェースである。
【００２１】
本発明の更なる特徴および効果は、後述する実施形態の説明や本発明の実践によって明らかにされるであろう。
【発明の効果】
【００２２】
本発明によれば、放送モードに応じて異なる構造を有するデジタル放送のサービス情報をその構造等を何ら変更することなく保存し、これらをマッピングする第２の情報を利用することによって統合したり検索したりすることを容易にする。これにより、例えば異なる構造を有する放送プログラム（のスケジュール）情報を単一情報として容易に利用することができ、また、サービス情報のメタデータ等が変更された場合であってもこれに容易に対応することができる。
【発明を実施するための最良の形態】
【００２３】
以下、本発明の好ましい実施形態について、添付図面を参照しつつ詳細に説明する。なお、各図面において同一符号は同一または類似の構成要素を示す。
【００２４】
図１は、本発明の一実施形態に係るモバイル端末１０の概略構成を示したブロック図である。モバイル端末１０は、異なる放送モードを有する複数のデジタル放送を受信することができる。
図１に示すように、モバイル端末１０は、前記デジタル放送のサービス情報を受信するデジタル放送受信ユニット１１と、デジタル放送受信ユニット１１により受信されるサービス情報、及び、所定の規則（例えば、セマンティックス（semantics)）に従って前記サービス情報をマッピングするメタデータインターフェースを保存するメモリ１４と、前記メタデータインターフェースを利用してメモリ１４からサービス情報を抽出し、抽出結果をユーザに認識可能な形態に出力するための制御信号を生成する制御ユニット１３と、制御ユニット１３からの制御信号に従って前記抽出結果を表示する表示ユニット１５と、デジタル放送サービスを利用するためのユーザ入力信号が入力されるキー入力ユニット１２と、を含んで構成される。
【００２５】
前記デジタル放送のサービス情報とは、例えば、放送プログラム情報（スケジュール情報を含む）等のデジタル放送プログラムを視聴するために利用される各種情報を示す。ここで、本発明は、その基本概念を逸脱することなく、異なる構造を有する各種サービス情報に適用することができる。
【００２６】
以下、デジタル放送のサービス情報として放送プログラム情報を受信して管理する方法、特に、ＥＰＣ情報について説明する。
本実施形態によると、表示ユニット１５は、放送モードに応じて異なる構造を有するＥＰＧ情報を単一のテーブルとして表示する。
【００２７】
制御ユニット１３は、各放送モードに応じた構造のままでＥＰＣ情報を保存し、ＥＰＧの閲覧要請（ユーザがデジタル放送プログラムを視聴するための動作を行うことを含む）があると、前記メタデータインターフェースを利用してＥＰＧを単一のテーブルとして表示ユニット１５に表示させる。このとき、ユーザに知らせる等のために可聴信号を生成するようにしてもよい。
また、制御ユニット１３は、現在視聴している又は視聴しようとする放送プログラムと同一コンテンツが異なる放送モードで受信できる場合には、各デジタル放送信号を受信してその受信レベルを比較するための制御信号を出力する。そして、前記異なる放送モードのデジタル放送信号の受信レベルが現在視聴中のデジタル放送信号の受信レベルより高いときには、受信モードを前記異なる放送モードに自動にスイッチングするための制御信号を出力する。
【００２８】
なお、メモリ１４に保存されるデジタル放送のサービス情報は、地上デジタルマルチメディア放送（ＴＤＭＢ：terrestrial digital multimedia broadcasting）、衛星デジタルマルチメディア放送（ＳＤＭＢ：satellite digital multimedia broadcasting）、メディアフロー及び移動体向けデジタルビデオ放送（ＤＶＴ−Ｈ）の少なくとも一つに関するものである。また、メタデータインターフェース情報は、モバイルネットワーク、放送ネットワーク又は無線インターネットを通じて受信される。
【００２９】
図２は、本実施形態に係るデジタル放送サービス情報の管理方法を示すフローチャートである。
ＥＰＧ情報の構造及び伝送モードは、放送モード及び放送会社によって様々である。ＴＤＭＢ、ＳＤＭＢ、メディアフロー及びＤＶＢ−Ｈデジタル放送は、それぞれ異なる構造のＥＰＧ情報を有している。本実施形態においては、まず、このような異なる構造のＥＰＧ情報が受信され、異なるデータベースとしてメモリ１４に保存される(Ｓ２０１)。したがって、各ＥＰＧ情報はそれぞれの放送モードに応じた構造を有し、何ら変換されることなく（構造が変更されることなく）そのままの形態でメモリ１４に保存される。
【００３０】
次に、メタデータインターフェースが受信され、メモリ１４に保存される(Ｓ２０２)。このメタデータインターフェースは、前記異なる構造のＥＰＧ情報のそれぞれのメタデータ（meta-structure information）をセマンティクスに基づいてマッピングするためのデータである。メタデータインターフェースは、モバイルネットワーク、放送ネットワークまたは無線インターネットを通じて受信される。
【００３１】
ユーザがキー入力ユニット１２を利用してデジタル放送プログラムを見るための動作を実行すると(Ｓ２０３)、制御ユニット１３は、ＥＰＧの閲覧要請があったと判断し、メモリ１４に保存されたメタデータインターフェースを利用して単一のテーブルとして統合ＥＰＧデータベースを表示する(Ｓ２０４)。
【００３２】
ユーザは、ＥＰＧユーザインターフェースを利用して異なる放送モードのプログラム情報のチェック、予約及びチャンネル変更のような機能を活用することができる。
なお、メタデータインターフェース及びＥＰＧユーザインターフェースは、例えばＭＳＭ(mobile station modem)のようなデジタル放送チップ又は端末制御モデムの動作により制御される。
【００３３】
ここで、ユーザが検索機能を利用する場合には、前記メタデータインターフェースを利用することにより、同一のセマンティックを有するアイテム（項目）がメモリ１４に保存されたＥＰＧデータベースから抽出され、その抽出結果が表示ユニット１５により表示される。放送会社から提供されるインターフェースは、放送モードに応じて別々にデータが保存されるＥＰＧデータベースを利用する。ユーザによって特定の放送プログラムが選択されると、該選択された放送プログラムの放送データが受信され、表示ユニット１５により表示される(Ｓ２０５)。
【００３４】
前記ＥＰＧユーザインターフェースは、メタデータインターフェースを利用して読み出される。このようにして、同時に少なくとも２つの放送モードで放送される同一コンテンツをＥＰＧデータベースから検索することもできる。
【００３５】
次に、ユーザによって選択された放送プログラムがマッピングされている他のチャンネルが存在する否かを判定する(Ｓ２０６)。このような判定はユーザが放送プログラムを選択したとき（視聴するとき又は視聴しようとするとき）に実行される。
【００３６】
ユーザによって選択された放送プログラムがマッピングされている他のチャンネルが存在するとき、換言すると、選択された放送プログラムと同一のコンテンツを異なる放送モードで受信できる場合には、当該複数の放送モードから最適な放送モードが選択される。
なお、表示ユニット１５のスクリーンには、現在選択され又は視聴中の放送プログラムが異なる放送モードの放送信号を介して受信できることが示され、このスクリーン表示に対してユーザが所定の応答を行うと、各コンテンツの受信レベル（受信率）が比較される(Ｓ２０７)。なお、この比較は上記ユーザへの通知なしで自動的に実行されてもよい。
【００３７】
異なる放送モードのデジタル放送信号の受信レベルが現在選択されている放送プログラムの受信レベルよりも良好であれば（高ければ）、スイッチング条件が満足されて(Ｓ２０８)、受信モードが変更される(Ｓ２０９)。そして、ユーザは、受信モードが変更されたことについて通知を受ける。
【００３８】
本実施形態において、放送モードや放送会社が追加されるかまたはＥＰＧの構成が変更される場合には、メタデータインターフェース及びユーザインターフェースだけが変更される。したがって、ＥＰＧの構成を容易に変更することができる。また、放送会社のＥＰＧは保存モードとは無関係であるので、ＥＰＧユーザインターフェースは端末によって様々な形態をとり得る。
【００３９】
以上では、本発明の具体的な実施形態に関して説明したが、形式や細部についての様々な変更は本発明の精神及び範囲から逸脱することなく行い得ることは、当業者には明らかである。したがって、本発明の範囲は、上述の実施形態に限定されるものではなく、特許請求の範囲の記載に基づいて定められ、これと均等のものを含むべきである。
【図面の簡単な説明】
【００４０】
【図１】本発明の一実施形態に係るデジタル放送受信機能を有するモバイル端末１０の概略構成を示したブロック図である。
【図２】本実施形態に係る放送サービス情報の管理方法を示すフローチャートである。
【００４１】
１１…デジタル放送受信ユニット
１２…キー入力ユニット
１３…制御ユニット
１４…メモリ
１５…表示ユニット
【図１】
0004637130.tif 000002
【図２】
0004637130.tif 000003